(57)【要約】  パッケージ（４４）は、フェースパネル（１２）及びバックパネル（１４）を含んでいる。フェースパネル（１２）は開口（１８）及びフェースタブ（２２）を含んでいる。バックパネル（１４）は開口（１８）に対応するゲート（３４）、及びゲート（３４）にオーバーラップしかつバックタブ（２８）に隣接しているタブストリップ（３２）を含んでいる。ブリスターパック（４０）は、フェースパネル（１２）とバックパネル（１４）との間に密封され、これにより、ブリスター（３８）はゲート（３４）上に整合しかつ開口（１８）を貫通して突出し、及びタブ（２２）及び（２８）は複合プルタブ（４６）を構成する。ブリスター（３８）から物品（４２）を取り出すために、プルタブ（４６）はパネル（１２）、（１４）から押し出され、タブストリップ（３２）はバックパネル（１４）から剥離され、及び、圧力が加えられて物品（４２）をブリスターパック（４０）の裏打ちシート及び露出したゲート（３４）を通じて押し出す。
2008543693.tif 000002
【特許請求の範囲】
【請求項１】
ブリスターパックと共に使用するパッケージを形成するブランクであって、
バックパネルであって、第１面と、第２面と、前記バックパネルの部分的な深さを貫通して前記第１面に取り外し可能に形成された少なくとも１つのゲート部材と、前記バックパネルの部分的な深さを貫通して前記第２面に取り外し可能に形成された前記少なくとも１つのゲート部材上に重なる少なくとも１つのタブストリップと、を具備し、前記タブストリップは前記ゲート部材を含む対応する層間剥離された第２の形状構成を残した層間剥離された第１形状構成において前記第２面から離れて持ち上げ得る、前記バックパネルと、
フェースパネルであって、少なくとも１つのブリスターを受容するように配置された少なくとも１つの開口と、前記少なくとも１つの開口にそれぞれ対応する少なくとも１つの押し下げ可能な領域と、を具備する前記フェースパネルと、を備え、
前記バックパネルの前記第１面と前記フェースパネルは互いに対して平坦な面条件に配置され、
前記少なくとも１つの開口は前記少なくとも１つのゲートのそれぞれと整合可能であり、及び
前記押し下げ可能な領域は、前記バックパネルの前記第２面から離れるように前記タブストリップを付勢するように前記フェースパネルに働き得る領域を画定するブランク。
【請求項２】
前記バックパネルが、前記フェースパネルの前記少なくとも１つの押し下げ可能な領域と完全に整合するように配置された前記少なくとも１つのタブストリップを把持し及びそれぞれに隣接するのを容易にするための少なくとも１つの取り外し可能なバックタブを含む、請求項１に記載のブランク。
【請求項３】
前記少なくとも１つの押下げ領域が取り外し可能なフェースタブを備える、請求項２に記載のブランク。
【請求項４】
前記少なくとも１つの押下げ領域が取り外し可能なフェースタブを備える、請求項１に記載のブランク。
【請求項５】
子供が悪戯できないプリスターパッケージであって、
ブリスター開口を具備する少なくとも１つのブリスターを備えるブリスターパックと、
バックパネルであって、
第１面と、
第２面と、
前記バックパネルの部分的な深さを貫通して前記第１面に取り外し可能に形成された前記ブリスター開口のそれぞれに対応する少なくとも１つのゲート部材と、
前記バックパネルの部分的な深さを貫通して前記第２面に取り外し可能に形成された前記少なくとも１つのゲート部材上に重なる少なくとも１つのタブストリップであって、前記タブストリップは前記ゲート部材を含む対応する層間剥離された第２の形状構成を残した層間剥離された第１形状構成において前記第２面から離れて持ち上げ得る、前記タブストリップと、を具備する前記バックパネルと、
フェースパネルであって、
少なくとも１つのブリスターを受容する少なくとも１つの開口と、
前記バックパネルの前記第２面から離れるように前記タブストリップを付勢するように前記フェースパネルに働き得る領域を画定する前記少なくとも１つの開口にそれぞれ対応する少なくとも１つの領域と、を具備する前記フェースパネルと、を備え、
前記ブリスターパックが前記バックパネルの前記第１面と前記フェースパネルとの間に固定されたプリスターパッケージ。
【請求項６】
前記バックパネルが、前記フェースパネルの前記少なくとも１つの押し下げ可能な領域と完全に整合するように配置された前記少なくとも１つのタブストリップを把持し及びそれぞれに隣接するのを容易にするための少なくとも１つの取り外し可能なバックタブを含む、請求項５に記載の子供が悪戯できないブリスターパック。
【請求項７】
前記少なくとも１つの領域が取り外し可能なフェースタブを備える、請求項６に記載の子供が悪戯できないブリスターパック。
【請求項８】
前記少なくとも１つの領域が取り外し可能なフェースタブを備える、請求項５に記載の子供が悪戯できないブリスターパック。
【請求項９】
前記バックパネル及び前記フェースパネルは互いに折り曲げ可能に隣接している、請求項５に記載の子供が悪戯できないブリスターパック。
【請求項１０】
子供が悪戯できないパッケージを形成する方法であって、
前記方法は、
ブリスター開口を具備する少なくとも１つのブリスターと、
バックパネルであって、
第１面と、
第２面と、
前記バックパネルの部分的な深さを貫通して前記第１面に取り外し可能に形成された前記ブリスター開口のそれぞれに対応する少なくとも１つのゲート部材と、
前記バックパネルの部分的な深さを貫通して前記第２面に取り外し可能に形成された前記少なくとも１つのゲート部材のそれぞれに対応し、かつ前記少なくとも１つのゲート部材のそれぞれに取り付けられた少なくとも１つのタブストリップであって、前記タブストリップは前記ゲート部材を含む対応する層間剥離された第２の形状構成を残した層間剥離された第１形状構成において前記第２面から離れて持ち上げ得る、前記タブストリップと、を具備する、前記バックパネルと、
フェースパネルであって、
少なくとも１つのブリスターのそれぞれを受容する少なくとも１つの開口と、
前記バックパネルの前記第２面から離れるように前記タブストリップを付勢するように前記フェースパネルに働き得る領域を画定する前記少なくとも１つの開口にそれぞれ対応する少なくとも１つの領域と、を具備する前記フェースパネルと、を備え、
前記バックパネルの前記第１面と前記フェースパネルとの間に前記プリスターパッケージを固定する段階を含む方法。
【請求項１１】
前記バックパネルが、前記フェースパネルの前記少なくとも１つの押し下げ可能な領域と完全に整合するように配置された前記少なくとも１つのタブストリップを把持し及びそれぞれに隣接するのを容易にするための少なくとも１つの取り外し可能なバックタブを含む、請求項１０に記載の子供が悪戯できないブリスターパックを形成する方法。
【請求項１２】
前記少なくとも１つの領域が取り外し可能なフェースタブを備える、請求項１１に記載の子供が悪戯できないブリスターパックを形成する方法。
【請求項１３】
前記少なくとも１つの領域が取り外し可能なフェースタブを備える、請求項１０に記載の子供が悪戯できないブリスターパックを形成する方法。
【請求項１４】
前記バックパネル及び前記フェースパネルは互いに折り曲げ可能に隣接している、請求項１０に記載の子供が悪戯できないブリスターパックを形成する方法。
【発明の詳細な説明】
【技術分野】
【０００１】
本発明は、物品を包装しかつ分配する装置及び方法に関し、より詳細には、本発明は、物品を分配するためのブリスターパックを含んでいる子供が悪戯できないパッケージに向けられている。
【背景技術】
【０００２】
物品を含むブリスターパッケージを使用することは良く知られている。こうした物品は医薬品タブレット錠剤及びカプセルを含み得る。慣用のブリスターパッケージは、通常、複数のブリスターセル又は内部に形成された窪みを具備する熱成形されたプラスチックシートであるブリスタートレイを含む。通常、物品がセル内に配置された後、物品はブリスターセルを覆うフォイルプラスチック又は厚紙蓋を備える裏打ちシートを固定することによって保持且つ保護される。他のタイプの慣用のパッケージでは、内容物はフォイル又はボール紙蓋によって覆われる実質的に穴が開かないフォイル容器に配置される。
【０００３】
慣用のパッケージでは、フォイルは内包された物品をフォイルに対して押圧することによって機械的に穴が開けられるか又は壊れるかの何れかであるには十分に薄い。通常、ボール紙によって、セルから内容物を取り除く支援をするためにブリスターパックの全体的に近辺の蓋内にはゲートが形成される。各ゲートは、該ゲートが壊れるか又はボール紙蓋から部分的に分離するように変形又は手動操作され、物品をブリスターセル内でゲートを通じて押すことを可能にする。
【０００４】
慣用のブリスターパッケージは幾つかの用途に適しているが、幾つかの構造上の欠点がある。慣用のブリスターパッケージは物品をブリスターセルからの取出しを提供するが、子供が悪戯できない特徴はほとんどない。子供が悪戯できない特徴は単位剤形医薬品パッケージングにとって特に望まれ、かつ１９７０年のthe Poison Prevention Packaging Actに権限を与えられている。子供が悪戯できない基準を満足するためのパッケージングのためのガイドラインが規定されている。例えば、子供が悪戯できない（ＣＲ）割合であるＦ＝１は対象とするパッケージのランダムサンプリングが予め失敗する割合よりも大きくない割合で子供の年齢の特定のテストプールによって妥協させて解決されている。
このガイドラインはパッケージが子供による悪戯に対して十分な完全性を有することを保証するように構成されている。
【０００５】
ブリスターパッケージが子供が悪戯できないことに加えて、ユーザの手動の器用さ及び強度が減じられさえする最小の操作を要する、パッケージからの物品の容易な取り出しを可能にするように大人に優しいことも所望される。は
【０００６】
子供が悪戯できない特徴を提供するが上述した欠点を克服することを目的としたようには思えないパッケージの実例は以下の文献に記載されている。
【特許文献１】米国特許出願第２００３/０１１１３７９号明細書
【特許文献２】米国特許第５９４４１９１号明細書
【特許文献３】米国特許第５８７８８８８号明細書
【特許文献４】米国特許第５７５８７７４号明細書
【特許文献５】米国特許第４９８８００４号明細書
【特許文献６】米国特許第４５３７３１２号明細書
【発明の開示】
【発明が解決しようとする課題】
【０００７】
従って、パッケージが大人に優しくかつ実質的に子供が悪戯できないように、物品をパッケージングしかる分配する装置及び方法に対する需要が依然としてある。
【課題を解決するための手段】
【０００８】
本発明は、製造が容易であり、かつ慣用のブリスターパックと共に使用し得る、子供が悪戯できないパッケージを提供することによって未解決のままでいる周知技術の欠点及び課題を克服する。一般的に、子供が悪戯できないパッケージは２つのパネル間に配置されたブリスターを含む。パッケージはプルタブと関連付けられたタブストリップを含む。ここで、タブストリップはゲートを覆う。ゲートはブリスター内の少なくとも１つの物品を更に固定するためにブリスターパックの各ブリスターと共に対応して整合する。圧力がプルタブに加えられてプルタブを外向きに曲げる。プルタブは引っ張られてタブストリップを剥がす。最後に、圧力が対応するブリスターに加えられて物品を押し込んでブリスターパックの裏打ちシートを壊し、かつ物品へのアクセスを得るためにゲートを取り除く。本発明の子供が悪戯できないパッケージは、物品への限られた回数のアクセスを得るために、加圧、引張り、及び再び加圧する段階を含んでいる、一連の調和された運動を要する保全機構を含んでいる。
【０００９】
本発明の例示的な実施形態に従えば、少なくとも１つのゲートを含んでいる少なくとも１つのパネルと、前記ゲートとは反対の側にある前記パネル上に形成された整合可能な少なくとも１つのパネルタブ及び１つの開口と、を備えるパッケージングシステムであって、前記開口は前記ゲートに対応し、少なくとも１つのタブストリップはストリップタブを具備し、前記タブストリップは前記ゲート上に重なり、ブリスターパックは少なくとも１つの物品を保持するために少なくとも１つのブリスターを含んでおり、前記ブリスターパックは、前記少なくとも１つのブリスターが前記ゲートと整合するように前記パネル上に配置され、及び、前記パネルは前記ブリスターパックを密封するために折り曲げられ、前記少なくとも１つのブリスターは前記開口を貫通して延在し、前記タブは一緒に取り付けられるパッケージングシステムが提供される。
【００１０】
本発明の更なる例示的な実施形態では、パッケージ内に物品をパッケージングする方法が提供される。１つの方法は、パッケージングブランクを構成する段階であって、フェースパネルであって、フェースブランクと、少なくとも１つの面タブと、前記フェースタブに対応する少なくとも１つの開口と、を含んでいる前記フェースパネルと、バックパネルであって、バックブランクと、前記開口と対向して整合された少なくとも１つのゲートと、前記フェースタブと対向して整合されたバックタブを具備する少なくとも１つのタブストリップであって、前記タブストリップは前記ゲート上に重なる、前記タブストリップを含んでいる前記バックパネルと、を備えるパッケージングブランクを構成する段階と、前記パネル上にブリスターパックを位置付ける段階であって、前記ブリスターパックは少なとも１つの物品を保持するための複数のブリスターを含んでおり、前記少なくとも１つのブリスターは前記ゲート上に整合させる、前記位置付ける段階と、前記フェースパネルと前記バックパネルとの間に前記ブリスターパックを密封するために前記パッケージングブランクを折り曲げる段階と、を備え、前記少なくとも１つのブリスターパックは前記開口を貫通して延在し、前記タブは一緒に密封されてプルタブを構成し、前記ブランクが一緒に密封されてカバーを構成する方法が提供される。
【００１１】
本願明細書に記載された実施形態、並びに特許請求の範囲によって網羅される実施形態に関して、フェースパネル及びバックパネルは子供が悪戯できないパッケージに構造的完全性及び補強を与えるために引裂き抵抗層を含み得るか又は含み得ない。更に別の実施形態はパネルの分離又は層間剥離、従って、収容した物品へのアクセスを許容又は制御する手段としての接着剤を含む。更に、ブリスターパックは少なくとも１つの物品を保持するために少なくとも１つのブリスターを含んでいる慣用のブリスターパックを備え得るか又は備え得ない。ブリスターパックはパッケージングブランク無いに対応する何れかの形状又は寸法を含むように構成し得る。更に、”フェース”及び”バック”という用語は、１つの面を別の面と区別するために単に方向に関する。従って、これらの用語は限定ではないが交換可能に使用し得る。更に、全及び部分的なカットは本願明細書に記載されているが、これらのカットは短いスリット線、半カット線、単一の半カット線、及び当業者には理解されるようなスリット刻み目線及び半カット線、あるいはこれらの等価物の何れかの組合せを備える穿孔を含んでいる。
【発明を実施するための最良の形態】
【００１２】
要求に応じて、本発明の詳細な実施形態を開示する。種々に且つ別の形態及びこれらの組合せで具現し得る本発明の単なる例示に過ぎないことを理解しなければならない。本願明細書で使用されるように、例示的な用語は例示的な標本モデル又はパターンとして役に立つ実施形態に言及するために広範に使用される。図面はスケールに従う必要はなく、幾つかの特徴は特定の構成要素の詳細を示すために誇張又は最小化し得る。他の例では、周知の構成要素、システム、材料、あるいは方法は本発明を暈すのを避けるために詳細は記述していない。従って、本願明細書に開示された構造的及び機能的詳細は限定するものとして解釈されないが、単に、特許請求の範囲の基礎として、本発明を種々に採用する当業者に教示するための代表的基礎として解釈される。本発明は種々の物品及び製品を収納及び分配するためのパッケージング、収納、及び種々の物品又は製品の分配に適用可能であるが、タブレット、錠剤、カプセル、味入りの錠剤、ガム、ドラッグ配送システム、医薬品及び／又は非医薬品液体等を含むがこれらに限定されない。本願明細書で使用された物品用語は、ユーザが制限された安全な態様で安全を維持し分配しすることを欲し得る、医薬品の単位投薬及び小さく且つ携帯可能な物品又は製品を含んでいる。
【００１３】
図面を参照すると、類似の要素は類似の参照数字で表されている。図１Ａは、本発明による、自身の内側表面からの、例示的なパッケージングブランク１０の平面図を示す。パッケージングブランク１０は、折り曲げ可能な刻み線１６でバックパネル１４に一体にヒンジ付けされているフェースパネル１２を具備して示されている。例示的な実施形態では、フェースパネル１２及びバックパネル１４は一体部片として一体成形されているが、
フェースパネル１２はバックパネル１４から独立しており異なるものであることが理解される。
【００１４】
包装ブランク１０は、例えば、重量、サイズ及び形状で並ぶ個体漂白サルフェイトＳＢＳ板紙のような、プラスチック及び慣用の板紙等級を含む、何れか適切な基板材料又はそれらの組合せから選択し得る。ブランク１０は、最終パッケージの所望の外観に依存して未漂白板紙ともし得る。基板、板紙であれば、印刷方法及び板との互換性のために選択された慣用のコーティング及び板構成物が少なくとも一側にコーティングされることが好ましい。パッケージブランク１０は、通常、折り曲げ後に、（図１Ｂに示されている外側表面）コーティングされた側がパッケージの外側表面になる。これは、パッケージを開けることなく、パッケージに関する情報又は方向を視認可能にする。教示及び方向に関する配向のみのために、例示された実施形態は未印刷側（内側表面）及び印刷側（外側表面）を備える。内側表面である未印刷側は図１Ａに視認し得る一方で、反対側の外側表面は図１Ｂに示されている印刷された側である。
【００１５】
図１Ａに例示したように、フェースパネル１２は図２に最も良く例示されているブリスターパック４０の対応するブリスター３８の周りで受容且つ嵌るように寸法付けられ且つ整合された複数の開口１８を含んでいる。開口１８はブリスター３８の形状及び寸法に対応するように寸法付けて構成されている。フェースパネル１２は、一連の完全深さカット２０ａ、２０ｂを更に含んでいる。本発明の範囲内では、下側線２０ａは完全な単一のカット線とし得る。カット２０ａ、２０ｂは取り外し可能なフェースタブ２２を形成するために必要とされた形状及び寸法に変え得る。開口１８及びフェースタブ２２は本発明の範囲から逸脱せずに何れかのレイアウト、サイズ、形状、数及び／又は寸法を備え得ることに留意されたい。
【００１６】
バックパネル１４の内側表面は、穿孔又は鋸歯状線又は他の壊し得るか又は弱化された切断線を構成する一連の全深さカット２１を含んでいる。穿孔又は鋸歯状線又は他の壊し得るか又は弱化された、切断又は折り目又は予め定められた深さの線を構成する部分的深さカットは、全深さカット２１と共に、取り外し可能なバックタブ２８を構成する線２４を画定する。カット及び／又は線２１、２４の両方は（未印刷側）の内側表面から打ち抜き得る。
【００１７】
バックパネル１４の内側表面はフェースパネル１２上の各開口に対応して整合する複数のゲート３４を更に含んでいる。ゲート３４は、バックパネル１４の未印刷側３０に打ち抜かれる部分的深さカット３６によって画定且つ形成される。図２から理解し得るように、各個々のゲート３４（図示せず）は各々対応するブリスター３８に整合しかつブリスター３８内で物品４２を付加的に固定するためにブリスターパック４０の裏打ちシートにオーバーラップする。
【００１８】
ここで図１Ｂを参照すると、図１Ａの例示的なブランクの外側表面が例示されている。
フェースパネル１２の特徴はその両側にある同じ形状構成に現れている。カット線２０ａ、２０ｂによって画定される開口１８及びタブ２２の各対はパネルを貫通して延在し、かつ外側表面並びに内側表面に現れる。バックパネル１４の外側表面は、タブストリップ３２を画定するためにバックパネル１４の印刷された側３１にダイカットされた、一連の部分的深さのカット２６からなる線を更に含んでいる。部分的な深さのカット２６は以下に述べるように（この外側表面からは見えない）ゲート３４の周りの領域を包囲する。部分的な深さのカット２６は、ゲート３４を包囲する部分的な深さのカット２６内に占有された領域と一致するように、タブストリップ２１がバックパネル１４から剥離する支援をする。タブストリップ３２はバックタブ２８と関連づけられており、タブストリップ３２及びバックタブ２８の両方は同じバックパネル１４の材料から形成される。タブストリップ３２の一端部は形成されているバックタブ２８に隣接する。従って、タブストリップ３２の湾曲した端部部分２１として現れるのはバックタブ２８の全深さカット２１である。バックタブ２８及びタブストリップ３２は一体部片として形成し得るか、あるいは一緒に結合される別々の部片を備え得る。
【００１９】
フェースタブ２２及びそれに関連する開口は、タブストリップ３２がバックパネル１４から押しのけられ始めることを可能にするフェースパネル１２の領域を与える。更に、互いに対して固定されるときに、バックタブ２３及びフェースタブ２２は複合把持機構として働いてタブストリップ３２がバックパネル１４から裂けるか剥離する支援をする。バックタブ２８を画定する湾曲カットとは反対側に、例示されたタブストリップ３２の遠位端部に配置されるのは部分的深さのカット２７である。本発明は、タブストリップ３２の遠位端部が部分的又は全深さカット、あるいは折り目、刻み目又は折り目線、あるいはカットなし又は線がどんなものであれ、これらによって画定される線２７を含み得る。従って、タブストリップ３２はバックパネル１４にヒンジ付け可能に連結し得るか又はヒンジ付け可能に連結し得ない。各タブストリップ３２は対応するゲート３４の上に重なるように寸法づけられる。タブストリップ３２がゲート３４の周りで剥離領域を選択的に決定するように構成された種々の異なる形状、サイズ又は長さを備え得ることが留意される。
【００２０】
引裂き抵抗層はパッケージングブランク１０に固着し得るか又は固着し得ない。図１０及び図１１に最も良く示されている引裂き抵抗層１３は、フェースパネル１２の未印刷側に取り付け得る。引裂き抵抗層は、しばしば、切断前にブランクに積層される。満足のいく薄層の幾つかの実例はEndurance PTHS（登録商標）及びEasy Seal(登録商標）を含み、これらの両方は出願人を通じて入手可能である。引裂き抵抗層１３はフェースパネル１２とバックパネル１４との間にブリスターパック４０を密封する構造的完全性を与える。引裂き抵抗層１３は更なる子供が悪戯できない機構を与えるべくブリスター３８上に重なるようにブリスターパッケージ４０の裏打ちシート上にも配置し得る。
【００２１】
上述したブランク１０を製造する方法の一実施形態は切断が１つ以上のパスで行われることを含む。１つのパスで、未印刷側であるナイフ又はダイに面する内側表面に部分的深さのカット２４及び３６が作られる。別の実施形態は部分的な深さのカット２４を折り目、刻み目、あるいは類似の折り曲げ可能な線で置き換え得る。別のパスで又は同じパスではあるがナイフ又はダイに面する未印刷側関して部分的な深さのカット２６及び２７が作られる。全深さのカット２０ａ、２０ｂ及び２１は勿論何れの側からも作り得る。
【００２２】
図２は、例示的な子供が悪戯できないパッケージ４４の斜視図を示す。パッケージ４４は、フェースパネル１２とバックパネル１４を備えている。ブリスターパック４０は、種々のレイアウト及び形状構成に配置し得る複数のブリスター３８を含んでいる。少なくとも１つのスリスター３８は少なくとも１つの物品４２を保持するように寸法づけられている。１つの非限定的な実施例では、１つ以上のブリスター３８を含んでいるプラスチックシェルを製作するために熱成形技術を使用し得る。ブリスターパック４０は、通常、箔アルミニウムプラスチック又は紙層から成る裏打ちシートを含んでいる。裏打ちシートは、少なくとも１つのスリスター３８の範囲内に少なくとも１つの物品４２をしっかりと保持するためにブリスターパック４０の下側に固定されている。裏打ちシートはブリスター３８に力を加える際に壊れるかあるいは物品４２を解放するように作動可能である。ブリスターパック４０は、プラスチックボール紙又は板紙材料又はこれらの何れかの組合せから成形し得る。
【００２３】
アセンブリでは、ブリスターパック４０は、バックパネル１４にしっかりと配置されるか又は該バックパネルに取り付けられる。ブリスターパック４０の各ブリスター３８はそれぞれの対応するゲート３４上の自身の開口に整合されている。図２に例示されるように、フェースパネル１２は折り曲げ可能な刻み目線１６に沿って折り曲げられ、そして、ブリスターパック４０上に崩れ、これにより、パネル１２及び１４の間にブリスターパック４０を密封する。各ブリスター３８は、フェースパネル１２の対応する開口１８を貫通して突出する。フェースタブ２２は全深さのカット２０ｂが全深さのカット２１に対応し、かつ全深さのカット２０ａが結合器２４の部分的な深さのカット又は他の弱化された線に対応する。あるいは、ブリスターパック４０は、各ブリスター３８が対応する開口３８を貫通して延在するようにフェースパネル１２に配置し得る。各ゲート３４が各ブリスター３８に対応して整合するように、バックパネル１４は折り曲げ可能な刻み目線１６に沿って折り曲げられる。バックパネル１４はフェースパネル１２に密封される。フェースタブ２２は図３及び図４に最も良く示される複合プルタブ４６を構成するバックタブ２８にも密封される。パネル１２，１４は、出願人であり且つ所有者である譲渡人を通じて現在入手可能なEasy Seal(登録商標）製品を含むがこれに限定されない何れかの手段によって一緒に密封し得る。
【００２４】
図３は、子供が悪戯できないパッケージ４４の斜視図を示す。図２に例示されるように、フェースパネル１２は内部にブリスターパック４０を固定するようにバックパネル１４に折り曲げ可能に密封されている。ブリスターパック４０のブリスター３８はフェースパネル１２の対応する開口１８を貫通して突出する。フェースタブ２２及びバックタブ２８はプルタブ４６を形成するために一緒に密封される。図３に示すように、全深さのカット２０ａ、２０ｂに沿ってプルタブ４６を係合解除するために力が加えられ、この力がフェースパネル１２及びバックパネル１４によって画定される平面からプルタブ４６を曲げ出すことを可能にする。
【００２５】
図４は、子供が悪戯できないパッケージ４４の反対側の斜視図を示す。図３に例示したように、ユーザは最初に力を加えてプルタブ４６を押し、その結果、プルタブ４６はパネル１２、１４から離れるように曲がる。ユーザは、それからプルタブ４６を把持して、該プルタブ４６を引張りタブストリップ３２を剥離する。タブストリップ３２はゲート領域を包囲する部分的な深さのカット２６内に占有される領域に従って薄い層に裂け、剥離されて離されるタブストリップ３２の形状構成に対応する形状構成３３を具備する領域を剥離することによって包囲されたゲート３４を露出させる。上述のように、タブストリップ３２はバックパネル１４にヒンジ付可能に取り付けられたままとし得るか、あるいはバックパネル１４にヒンジ付可能に取り付けられたままとし得ない。タブストリップ３２が持ち上げられるすなわち剥離し返されると、ユーザは対応するブリスター３８に圧力を働かせる。働かせた圧力は物品４２を押し込んでブリスターパック４０の裏打ちシートを壊すか穴を開ける。さらに、圧力が物品４２を押し込んでゲート３４を押圧し、これがゲート３４を押し込んで部分的な深さのカット３６に沿って剥離されたパネル１４の層から取り外し、これにより物品４２を解放する。
【００２６】
図５を参照すると、本発明に従う例示的なパッケージブランク１００の平面図が示されている。教示及び方向の配向のみのために、パッケージブランク１００は印刷された側（外側表面）を下にしてかつ未印刷側（内側表面）を上にした状態で示されている。パッケージングブランク１００は、フェースパネル１１２、バックパネル１１４、フェースブランク１１６及びバックブランク１１８を含んでいる。フェースパネル１１２及びフェースブランク１１６は、折り曲げ可能な刻み目線１２０でバックパネル１１４及びバックブランク１１８にそれぞれ連結されている。さらに、フェースパネル１１２及びバックパネル１１４は、刻み目線によって規定された背１２２に沿ってフェースブランク１１６及びバックランク１１８にそれぞれ連結されている。例示的な実施形態では、パネル１１２、１１４及びブランク１１６、１１８が一体部片として一体成形されている。しかしながら、パネル１１２、１１４及びブランク１１６、１１８は、一緒に独立して取り付けられている別々且つ異なる部分を備え得る。
【００２７】
再び、引裂き抵抗層はブランク１００に取り付けられ得るか又は取り付けられ得ない。引裂き抵抗層は開口１２４を覆うか又は覆わずにフェースパネル１１２に取り付け得るか、あるいはバックパネル１１４に取り付け得る。所望に応じて、引裂き抵抗層はフェースブランク１１６及びバックブランク１１８にも取り付け得て、以下に説明するようにカバー１５２の構造的完全性及び強度を増加せせる。
【００２８】
一時的に図５及び図６の両方を参照すると、フェースパネル１１２は複数の開口１２４を含んでいる。開口１２４は、ブリスターパックの対応するブリスター１２６の周りに受容且つ嵌るように寸法付けられ且つ整合される。開口１２４は、何れの形状サイズ又は寸法を備え得るものであり、かつブリスター１２６の形状及びサイズと対応するように構成し得る。フェースパネル１１２の内側表面は、予め定められたサイズ及び形状構成のブリスターパックを受容するためのブリスターパック受容領域１２８の周辺を規定するしるしを更に含んでいる。図５を参照し返すと、フェースパネル１１２は、取り外し可能なフェースタブ１３２を構成するように必要とされた形状及びサイズに変わり得る、穿孔又は鋸歯状の線、あるいは他の破壊又は弱化切断線を構成する一連の全深さのカット１３０ａ、１３０ｂを更に含んでいる。フェースタブ１３２は半円形形状で示されているが、本発明の範囲から逸脱せずに他の形状を使用し得ることが留意される。
【００２９】
バックパネル１１４は穿孔されたか又は鋸歯状の線、あるいは他の壊れやすいか又は弱化された切断線を構成する一連の全深さのカット１３４を含んでいる。穿孔されたか又は鋸歯状の線、あるいは他の壊れやすいか又は弱化された切断線、あるいは予め定められた深さの折り目又は刻み目を構成する部分深さのカットは、線１３６を画定する。両方の線１３４、１３６はカットされるか、さもなければ、取り外し可能なバックタブ１３８を構成するバックパネル１１４の未印刷側（内側表面）に形成される。別の実施形態では、部分深さのカット１３６を折り目、刻み目、あるいは類似した折り曲げ可能な線と取り替え得る。バックタブ１３８はフェースパネル１１２上でフェースタブ１３２と対応して整合する。
【００３０】
バックパネル１１４の（図示しない）外側表面は、図１−図４の例示的なブランク及びパッケージに関して以前に例示し且つ記述されたのと同じ態様でタブストリップを規定するバックパネル１１４の印刷された側（外側表面）にダイカットされた一連の部分的深さのカットを更に含んでいる。部分的深さのカットは以下に記述するようにゲート１４４の周りの領域を包囲する。部分的深さのカットは、ゲート１４４を包囲する部分的深さのカット内に占有される領域に従ってバックパネル１１４からタブストリップが薄い層に裂けることを支援する。例示的実施形態では、タブストリップはバックタブ１３８と関連しており、かつ同じパネル材料から形成される。各バックタブ１３８及び各タブストリップは一体部片として形成し得るか又は一緒に結合される別個の部片を備え得る。タブストリップはバックパネル１１４にヒンジ付け可能に連結し得るか又はし得ない。タブストリップはバックキングパネル１１４から薄い層に裂ける領域の範囲を選択的に制御するように構成された種々の異なる形状又はサイズを備えることが留意される。
【００３１】
バックパネル１１４は、フェースパネル１１２の各開口１２４と対応するように整合する複数のゲート１４４を含んでいる。ゲート１４４は、バックパネル１１４の未印刷側（内側表面）でダイカットされた部分的な深さのカット１４６によって規定且つ形成されている。図６に例示したように、各個々のゲート１４４はブリスター１２６に対応して整合し、かつブリスター１２５内に物品１２５を更に固定するための裏打ちシートに重なる。
【００３２】
バックパネル１１４は、フェースパネル１１２の各開口１２４と対応して整合する複数のゲート１４４を含んでいる。ゲート１４４は、バックパネル１１４の未印刷側（内側表面）にダイカットされた部分的深さのカット１４６によって規定且つ形成される。図６に例示したように、各個々のゲート１４４はブリスター１２６と対応して整合し、かつブリスター１２５内に物品１２５を更に固定するためにブリスターパックの裏打ちシートに重なる。
【００３３】
図６を参照すると、図５のブランクから形成される例示的な子供が悪戯できないパッケージ１４８の斜視図が示されている。アセンブリでは、ブリスターパックはフェースパネル１１２上のブリスターパック受容領域１２８に配置されている。各個々のブリスター１２６は対応する開口１２４を貫通して延在する。バックパネル１１４及びバックブランク１１８は刻み目線１２０に沿って折り曲げられ、かつフェースパネル１１２及びバックパネル１１４の間でブリスターパックをそれぞれ密封するフェースパネル１１２及びフェースブランク１１６に密封される。バックパネル１１４上の各ゲート１４４は対応するブリスター１２６の裏打ちシート上に横置される。全深さのカット１３０ｂは全深さのカット１３４と対応して整合する。フェースタブ１３２は複合プルタブ１５０を形成するバックタブ１３８にシールされる。
【００３４】
バックブランク１１８はカバー１５２を構成するフェースブランク１１６上に折り曲げられ、かつ密封される。カバー１５２は密封されたブリスターパックのため覆いとして背１２２の刻み目線に沿って折り曲げられる。フェースパネル１１２、フェースブランク１１６、バックパネル１１４及びバックブランク１１８はＥａｓｙ  Ｓｅａｌ（登録商標）又はＥａｓｙ  Ｓｅａｌ（登録商標）Ｐｌｕｓ製品を含むがこれらに限定されない何れかの手段によって密封し得ることが理解される。
【００３５】
図６に示すように力がプルタブ１５０を取り外すために加えられるときに、プルタブ１５０は全深さカット１３０ａ、１３０ｂに沿って係合解除し、かつフェースパネル１１２及びバックパネル１１４によって規定された平面から出て回転する。プルタブ１５０はアクセスを容易にするために外向きに延在する。
【００３６】
実際には、ユーザは、プルタブ１５０を握って対応するタブストリップをバックパネル１１４から離れるように剥がす。図１−図４の例示的なブランク及びパッケージに関して上述したように例示され且つ記述したのと同じ態様で、タブストリップはゲート１４４を露出させるゲート領域を包囲する部分的深さのカット内に占有された領域に従って薄い層に裂ける。物品１２５を取り外すために、圧力が対応するブリスター１２６に働いて物品１２５を押し込んでブリスターパックの裏打ちシートを壊すか又は穴を開ける。加えられた圧力は物品１２５を押し込んでゲート１４４に対して押圧し、ゲート１４４を部分的深さのカット１４６に沿って取り外し物品１２５へのアクセスを可能にする。
【００３７】
上述したブランク１００を製造する例示的な方法は所定のカットを組み込み、これらのカットを１パスで作ることを含んでいる。ここで、ナイフ又はダイに面する未印刷側によれば、部分的深さのカット１３６は折れ目、刻み目、あるいは類似の折り曲げ可能な結合線で置き換え得る。その後、全深さのカット１３０ａ、１３０ｂ、部分的深さのカット１４６及びカット又は折り曲げ可能な線１３６は同じパスで全て作り得る。
【００３８】
図７〜図９を参照すると、図３に例示されたような例示的な子供が悪戯できないパッケージ４４の横断面が示されている。図７はブリスターパック４０を内包するためのバックパネル１４に密封されたフェースパネル１２を示す。ブリスター３８はフェースパネル１２の開口１８を貫通して突出する。少なくとも１つの物品４２がブリスター３８内に内包されている。タブストリップ３２はバッキングパネル１４内に形成され、かつ対応してブリスター３８に重なる。フェースタブ２２は複合取り外しプルタブ４６を構成するバックタブ２８に対応して密封される。全深さのカット２０ａはフェースパネル１２を貫通して延在する。部分的深さのカットの深さ又はそれ以外に形成されたバックタブ２８の下側端縁の分離線２４は、タブストリップ３２が剥がし戻されるときにタブストリップ３２の薄い層に裂ける程度を制御する。当業者には理解されるように、薄い層に裂ける量は使用される材料のタイプに依存して変わり得る。更に、引裂き抵抗層はタブストリップを薄い層に裂き得ないがむしろタブストリップを一緒に保持し得る。
【００３９】
上述したように、タブストリップ３２の遠位端部には、バックパネル１４の印刷された側を貫通して延在する（全深さのカット、部分深さのカット、刻み目、折り目、線がない）選択された種々の構造の線２７が位置し得る。全深さのカットとしての線２７はタブストリップ３２がバックパネル１４からヒンジ付け可能に取り外されることを可能にする。
他方、タブストリップ３２の遠位端部にある線２７はバックパネル１４を貫通して部分的に延在する部分的深さのカットを含む場合、タブストリップ３２はこれによりバックパネル１４にヒンジ付け可能に固定される。更に例示されているのは、ゲート３４を画定するバックパネル１４の未印刷側（内側表面）を部分的に貫通して延在する部分的な深さのカット３６である。部分的深さのカット３６はタブストリップ３２の一部内に部分的に延在もし得る。
【００４０】
物品４２へのアクセスを得るために、プルタブ４６は外向きに押圧され、かつ矢印４９の方向に引っ張られ、図８に例示されるようにタブストリップ３２をバックパネル１４から引き剥がす。タブストリップ３２は対応するゲート３４を露出させるバッキングパネル１４から薄い層を裂く。薄い層の裂ける量は線（カット又は折り目／刻み目）２４の深さによって、通常、制御される。
【００４１】
図９に示すように、圧力が矢印５１の全体方向にあるブリスター３８に加えられる。加えられた圧力はブリスター３８の下側に固定された裏打ちシート３７を壊す。加えられた圧力は物品４２を押し込んで部分的深さのカット３６でゲート３４を取り外し、これにより物品４２を解放する。
【００４２】
図１１及び図１２を参照すると、図７、図８及び図９に関してまさに真上で検討した例示的な子供が悪戯できないパッケージの横断面図が示されている。図１０は、第１引裂き抵抗層１３に取り付けられたフェースパネル１４と第２引裂き抵抗層１５に取り付けられたバックパネル１４を示す。ブリスターパック４０はフェースパネル１２及び第１引裂き抵抗層１３とバックパネル１４及び第２引裂き抵抗層１５との間に配置されている。引裂き抵抗層１３、１５はフェースパネル１２及び第２バックパネルの間にブリスターパック４０を密封するために改善された構造的完全性を与える。
【００４３】
図示するように、ブリスター３８はフェースパネル１２の開口１８を部分的に貫通して突出し、かつ少なくとも１つの物品４２を保持するように寸法づけられている。フェスースタブ２２は引裂き抵抗層にも取り付けられ、バックタブ２８は引裂き抵抗層１５に取り付けられる。フェースタブ２２は引裂き抵抗層１３、１５を介してバックタブ２８に密封される。密封されたフェースタブ２２及びバックタブ２８は複合取り外しプルタブ４６を規定する。全深さのカット２０ａ、２０ｂはパネル１２、１４及び引裂き抵抗層１３、１５を貫通して十分に延在する。全深さのカット２０ａ、２０ｂはパネル１２、１４及び引裂き抵抗層１３、１５を貫通して十分に延在する。全深さのカット２０ａ、２０ｂはパネル１２、１４及び引裂き抵抗層１３、１５を貫通して十分に延在する。タブストリップ３２はバックパネル１４内で形成され、かつバックタブ２８と関連づけられている。タブストリップ３２は、ブリスター３８に対応して開口の上に横たわる。
【００４４】
図示するように、部分的深さのカット３６は引裂き抵抗層１５を貫通して延在し、かつバックパネル１４の未印刷側を部分的に貫通する。タブストリップ３２の遠位端部に位置するのは、バックパネル１４の印刷された側を部分的に貫通して延在する部分的深さのカット２７として本願明細書では示されている。カット２０ａ及び２４の深さは、タブストリップ３２をバックパネル１４から引き剥がすときに薄い層に裂ける程度を制御する。
【００４５】
物品４２へのアクセスを得るべく上述したように、プルタブ４６は外向きに押圧され、かつ矢印４９の方向に引っ張られる。タブストリップ３２は、それから、バックパネル１４から離れるように引き剥がされる。タブストリップ３２はゲート３４を露出するバックパネル１４から薄い層を裂く。
【００４６】
選択された深さの深いカット３６に依存して、タブストリップ３２がバックパネル１４から層剥離されるとき、バックパネル１４の予め定められた所望の部分がブリスター３８の下側に取り付けられたままである。
【００４７】
図１２に例示されているように、圧力が全体的に矢印５１の方向にブリスター３８に働く。作用する圧力は、物品４２を押し込んでブリスター３８の下側に固定された裏打ちシート３７を壊す。圧力は物品４２をも押し込んで部分的深さのカット３６に沿って引裂き抵抗層１５の一部及びゲート３４を取り外す。
【００４８】
別の実施形態では、複数のパネル又はパネルプライの取り付けられたパネル層の分離を容易にする何れか及び全ての解放複合物を一般的に含むように使用される接着剤という用語は、設計基準によって決定されるように含め得る。例えば、接着剤は本願明細書に記載された引裂きストリップの層間剥離を制御する引裂きストリップ又はゲートと組み合わされて使用し得る。
【００４９】
図示するように、本発明の子供が悪戯できないパッケージは種々のセキュリティ機構を含んでいる。最初の力が加えられて、フェースパネル１２及びバックパネル１４を具備する平面からプルタブ４６を押圧する。続いて、プルタブ４６が引っ張られてゲート３４を露出するためにバックパネル１４からタブストリップ３２を層間剥離するようにタブストリップ３２を引き剥がす。最後に、圧力がブリスター３８に加えられて物品４２を押し込んでブリスターパック４０の裏打ちシート３７を壊し、かつ部分的深さのカット３６からゲート３４を剥離させ、これにより物品４２を解放する。
【００５０】
本発明は子供が悪戯できない能力を増大させる一方で大人に優しいパッケージを提供する。基板の加えられた層は子供によるブリスターパックへのアクセスを禁止するが、他方で、全ての層は、一連の開放要件を理解し且つ実行することができる大人の個人のようなより分別があるか又は程度の高いユーザによって容易にアクセスされる。本発明は子供が悪戯できない程度及び層間剥離の程度を種々の部分的深さのカット２６、３６の深さに直に比例して変え得ることを考える。
【００５１】
本発明の別の例示的実施形態は物品又は製品を子供が悪戯できないパッケージ４４内にパッケージングする方法を含んでいる。１つの方法は、フェースパネル１２及びバックパネル１４を具備するパッケージブランク１０を構成する段階を含んでいる。
【００５２】
この方法は、少なくとも１つのフェースタブ２２及び少なくとも１つの開口１８をフェースパネル１２上で形成する段階を更に含んでおり、開口１８は対応してフェースタブ２２に整合する。この方法は、バックパネル１１４上でバックタブ２８及びゲート３４を具備する少なくとも１つのタブストリップ３２を形成する段階を更に含んでおり、ここで、タブストリップ３２はゲート３４に重なるように寸法づけられる。
【００５３】
この方法はバックパネル１４上にブリスターパック４０を位置付ける段階を更に含んでおり、ここで、少なくとも１つのブリスター３６はゲート３４に整合する。この方法はブリスターパック４０をしっかりと内包するためにフェースパネル１２及びバックパネル１４を密封することを更に含んでおり、ここで、少なくとも１つのブリスター３６は対応する開口１８を貫通して突出し、かつフェースタブ２２はプッシュタブ４６を構成するバックタブ２８に密封される。
【００５４】
本発明の特許請求の範囲のあらゆる可能な実施形態を例示し且つ教示することを法律は要求しておらず、かつ経済的に法外なものであることを強調しておかなければならない。
従って、上述した実施形態は本発明の原理の明瞭な理解のために記載された手段の単に例示的な例示に過ぎない。多くの組合せ及び種々の組合せは本願特許請求の範囲から逸脱せずに上述した実施形態をなし得る。全てのこうした組合せ及び種々の組合せは、本願明細書のこの開示の範囲及び添付の特許請求の範囲に含められる。
【図面の簡単な説明】
【００５５】
【図１Ａ】本発明による例示的なパッケージングブランクの内側表面の平面図である。
【図１Ｂ】本発明による図１Ａの例示的ブランクの逆側である外側表面の平面図である。
【図２】本発明による、２つのパネル及び２つのパネルを一緒に保持する依然のブリスターパックを示す例示的パッケージの斜視図である。
【図３】本発明による、部分的及び完全に取り外されたプルタブを完全に構成された例示的なパッケージの斜視図である。
【図４】本発明による部分的に引き剥がされたタブストリップを示す例示的なパッケージの斜視図である。
【図５】本発明による例示的なパッケージングブランクの平面図である。
【図６】本発明による１部片２列のブリスターパック及びパッケージカバーを含む例示的なパッケージの斜視図である。
【図７】本発明による例示的なパッケージの断面図である。
【図８】本発明による例示的なパッケージの断面図である。
【図９】本発明による例示的なパッケージの断面図である。
【図１０】本発明による引裂き抵抗層を含む例示的なパッケージの横断面図である。
【図１１】本発明による引裂き抵抗層を含む例示的なパッケージの横断面図である。
【図１２】本発明による引裂き抵抗層を含む例示的なパッケージの横断面図である。
【符号の説明】
【００５６】
１０  パッケージングブランク
１２  フェースパネル
１３  引裂き抵抗層
１４  バックパネル
１６  刻み目線
１８  開口
２０ａ、２０ｂ  全深さカット
２１  全深さカット
２２  フェースタブ
２４  カット
２８  バックタブ
３０  未印刷側
３２  タブストリップ
３４  ゲート
３８  ブリスター
４０  ブリスターパック
４２  物品
４４  パッケージ
４６  プルタブ
１００  ブランク
１１４  バックパネル
１１６、１１８  ブランク
１２４  開口
１２６  ブリスター
１３０ａ、１３０ｂ  全深さのカット
１３２  フェースタブ
１３４  完全な深さカット
１３６  折り曲げ可能な線
１４４  ゲート
１４６  部分的な深さのカット
１５０  複合プルタブ
１５２  カバー
【図１Ａ】
2008543693.tif 000003
【図１Ｂ】
2008543693.tif 000004
【図２】
2008543693.tif 000005
【図３】
2008543693.tif 000006
【図４】
2008543693.tif 000007
【図５】
2008543693.tif 000008
【図６】
2008543693.tif 000009
【図７】
2008543693.tif 000010
【図８】
2008543693.tif 000011
【図９】
2008543693.tif 000012
【図１０】
2008543693.tif 000013
【図１１】
2008543693.tif 000014
【図１２】
2008543693.tif 000015
【国際調査報告】
2008543693.tif 000016
2008543693.tif 000017
2008543693.tif 000018